(57)【要約】【課題】ヘッドアップを効果的に防止しつつゴルフクラブのスイング矯正を行うことが可能なゴルフ練習器具を提供する。【解決手段】ゴルフクラブ１のヘッド部２又はその近傍に装備可能に構成され、ゴルフクラブ１のヘッド部２又はその近傍に装備された際に、ゴルフボールの打ち出し水平方向Ａに向けて発光可能な発光部１０と、発光部１０が装備されたゴルフクラブ１を握ったプレイヤーがアドレスした際に、発光部１０から発光された光が照射されるよう、ゴルフボールの打ち出し水平方向Ａに沿ってゴルフクラブ１に対して離間して設置される的部２０と、ゴルフクラブ１のヘッド部２又はその近傍に装備可能に構成され、発光部１０が装備されたゴルフクラブ１を握ったプレイヤーがアドレスした際に、該プレイヤーが的部２０に照射された発光部１０の光を視認可能なように反射させる鏡部３０とを備える。【選択図】図１
2016030152.tif 000002
【特許請求の範囲】
【請求項１】
ゴルフクラブのヘッド部又はその近傍に装備可能に構成され、前記ゴルフクラブのヘッド部又はその近傍に装備された際に、ゴルフボールの打ち出し水平方向に向けて発光可能な発光部と、
前記発光部が装備された前記ゴルフクラブを握ったプレイヤーがアドレスした際に、前記発光部から発光された光が照射されるよう、前記ゴルフボールの打ち出し水平方向に沿って前記ゴルフクラブに対して離間して設置される的部と、
前記ゴルフクラブのヘッド部又はその近傍に装備可能に構成され、前記発光部が装備された前記ゴルフクラブを握ったプレイヤーがアドレスした際に、該プレイヤーが前記的部に照射された前記発光部の光を視認可能なように反射させる鏡部と
を備えることを特徴とするゴルフ練習器具。
【請求項２】
前記発光部は、前記ゴルフクラブのヘッド部のスイートスポットの上方から発光するよう、該ゴルフクラブのヘッド部に対する位置を調整可能に構成されている
ことを特徴とする請求項１に記載のゴルフ練習器具。
【請求項３】
前記発光部は、レーザー光を照射可能に構成されている
ことを特徴とする請求項１又は２に記載のゴルフ練習器具。
【請求項４】
前記鏡部は、鏡面の取り付け角度を調整可能に構成されている
ことを特徴とする請求項１乃至３いずれか１項に記載のゴルフ練習器具。
【請求項５】
前記鏡部の鏡面は、平面鏡である
ことを特徴とする請求項１乃至４いずれか１項記載のゴルフ練習器具。
【請求項６】
前記鏡部の鏡面は、凸面鏡である
ことを特徴とする請求項１乃至４いずれか１項記載のゴルフ練習器具。
【発明の詳細な説明】
【技術分野】
【０００１】
本発明は、ゴルフクラブのスイング矯正を行うためのゴルフ練習器具に関するものである。
【背景技術】
【０００２】
従来、ゴルフクラブのスイング矯正を行うためのゴルフ練習器具として、例えば図５に示すように、パターＰのフェイス面に向けて入射光Ｌ１を発射するレーザー照射器１０２と、パターＰのフェイス面に貼り付けられた鏡面シール１０６により反射した反射光Ｌ２を受光するスクリーン１０４とを備えたパッティング練習装置１００が知られている（特許文献１）。この特許文献１に記載のパッティング練習装置１００によれば、スイング時にスクリーン１０４上に反射光Ｌ２が照射されるか否か、及び、スクリーン１０４上に照射された反射光Ｌ２の位置等の情報により、アドレス時及びスイング時のフェイス面の向きを確認し、自らのスイングフォームの良否を判定することができる。
【先行技術文献】
【特許文献】
【０００３】
【特許文献１】特開２００２−３０６６５７号公報
【発明の概要】
【発明が解決しようとする課題】
【０００４】
しかしながら、特許文献１に記載のパッティング練習装置１００では、スクリーン１０４を見ながらパターＰのスウィングを行う必要があるため、ヘッドアップを防止することができず、また、目標を見ながらスイングする癖がつくおそれがあるという問題がある。
【０００５】
そこで、本発明は、ヘッドアップを効果的に防止しつつ、ゴルフクラブのスイング矯正を行うことが可能なゴルフ練習器具を提供することを目的とする。
【課題を解決するための手段】
【０００６】
上記の目的を達成するため、本発明に係るゴルフ練習器具は、ゴルフクラブのヘッド部又はその近傍に装備可能に構成され、前記ゴルフクラブのヘッド部又はその近傍に装備された際に、ゴルフボールの打ち出し水平方向に向けて発光可能な発光部と、前記発光部が装備された前記ゴルフクラブを握ったプレイヤーがアドレスした際に、前記発光部から発光された光が照射されるよう、前記ゴルフボールの打ち出し水平方向に沿って前記ゴルフクラブに対して離間して設置される的部と、前記ゴルフクラブのヘッド部又はその近傍に装備可能に構成され、前記発光部が装備された前記ゴルフクラブを握ったプレイヤーがアドレスした際に、該プレイヤーが前記的部に照射された前記発光部の光を視認可能なように反射させる鏡部とを備えることを特徴とする。
【０００７】
本発明に係るゴルフ練習器具において、前記発光部は、前記ゴルフクラブのヘッド部のスイートスポットの上方から発光するよう、該ゴルフクラブのヘッド部に対する位置を調整可能に構成されることが好ましい。
【０００８】
また、本発明に係るゴルフ練習器具において、前記発光部は、レーザー光を照射可能に構成されることが好ましい。
【０００９】
さらに、本発明に係るゴルフ練習器具において、前記鏡部は、前記鏡面の取り付け角度を調整可能に構成されることが好ましい。
【００１０】
本発明に係るゴルフ練習器具において、前記鏡部の前記鏡面は、平面鏡であるとしても良く、また、凸面鏡であるとしても良い。
【発明の効果】
【００１１】
本発明によれば、ゴルフクラブに設けられる鏡部を介して、的部に照射された光を視認するよう構成されているため、ヘッドアップを効果的に防止しつつゴルフクラブのスイング矯正を行うことが可能なゴルフ練習器具を提供することができる。
【図面の簡単な説明】
【００１２】
【図１】図１（ａ）及び図１（ｂ）は、本発明の一実施形態に係るゴルフ練習器具の概略構成を示す全体図である。
【図２】本実施形態に係る発光部を示す概略構成図であり、図２（ａ）は、発光部をゴルフクラブのシャフト部に取り付けた状態を示す図であり、図２（ｂ）は、発光部をゴルフクラブのシャフト部から取り外した状態を示す図である。
【図３】本実施形態に係る鏡部を示す概略構成図である。
【図４】本実施形態に係るゴルフ練習器具の使用方法を説明する平面図であり、図４（ａ）は、理想のゴルフボールの打ち出し水平方向と、フェイス面が向く水平方向とが略一致した状態を示す図であり、図４（ｂ）は、理想のゴルフボールの打ち出し水平方向とフェイス面が向く水平方向とがずれた状態を示す図である。
【図５】従来のパッティング練習装置の概略構成を示す全体図である。
【発明を実施するための形態】
【００１３】
次に、本発明の一実施形態に係るゴルフ練習器具について、図面に基づいて説明する。なお、本実施形態の説明では、ゴルフクラブとしてパターを例に挙げて説明するが、これに限定されず、本実施形態に係るゴルフ練習器具は、種々のゴルフクラブに用いることが可能である。
【００１４】
本実施形態に係るゴルフ練習器具は、図１（ａ）及び図１（ｂ）に示すように、パター１のヘッド部２近傍のシャフト部４に装備可能に構成された発光部１０及び鏡部３０と、理想のゴルフボールの打ち出し水平方向Ａ（パター１のヘッド部２のフェイス面２ａが向き、かつ、地面と平行な方向Ｘ）に沿ってパター１に対して離間して設置される的部２０とを備えている。このような構成を備える実施形態に係るゴルフ練習器具は、図１（ａ）及び図１（ｂ）に示すように、発光部１０及び鏡部３０が装備されたパター１を握ったプレイヤーがアドレスした際（すなわち、発光部１０及び鏡部３０が装備されたパター１がアドレス位置に位置する際）に、理想のゴルフボールの打ち出し水平方向Ａに向けて発光部１０から発光され、発光部１０から発光された光Ｌ１が的部２０に照射され、この的部２０に照射された光（的部２０により反射された反射光Ｌ２）を、鏡部３０を介してプレイヤーがパター１の上方から見下げるような形で視認するよう構成されている。以下、発光部１０、的部２０及び鏡部３０の具体的な構成について、説明する。
【００１５】
発光部１０は、図２（ａ）及び図２（ｂ）に示すように、レーザー光Ｌ１を照射する光源部１２と、理想のゴルフボールの打ち出し水平方向Ａ（パター１のヘッド部２のフェイス面２ａが向き、かつ、地面と平行な方向）にレーザー光Ｌ１が照射されるように、光源部１２をパター１のヘッド部２近傍のシャフト部４に着脱自在に取り付ける取付部１４と、光源部１２と取付部１４とを連結する連結部１３とを備えている。発光部１０は、ヘッド部２より小さく、長手方向の長さが数ｃｍ程度の容易に持ち運ぶことができる小型の部材であることが好ましい。
【００１６】
光源部１２は、光源１２ａと、光源１２ａに電力を供給可能な電力供給部（図示せず）と、光源１２ａ及び電力供給部を収容するハウジング１２ｂとを備えている。光源１２ａは、例えば可視光レーザービームを照射可能なＬＥＤ等の種々の光源からなる。電力供給部は、図示しないスイッチを操作することにより、光源１２ａのＯＮ／ＯＦＦ操作を実行可能に構成されている。ハウジング１２ｂは、理想のゴルフボールの打ち出し水平方向Ａと直交する水平方向に延びる長尺状のハウジングであり、その長手方向に沿って、連結部１３の後述する棒状部１３ａが挿脱可能な挿入孔が形成されている。
【００１７】
取付部１４は、一対の狭持片１６，１８によってパター１のシャフト部４を密に狭持することが可能なクリップ状に構成されている。取付部１４の一方の狭持片１６は、パター１のシャフト部４の周面に沿う内面を有するＵ字状の狭持部１６ａと、狭持部１６ａからシャフト部４の軸方向と直交する方向に延びる摘み部１６ｂとを有している。取付部１４の他方の狭持片１８は、パター１のシャフト部４の周面に沿う内面を有するＵ字状の狭持部１８ａと、一方の狭持片１６の摘み部１６ｂと所定の間隔が形成されるように狭持部１８ａから延びる摘み部１８ｂとを有している。
【００１８】
これら一対の狭持片１６，１８は、Ｕ字状の狭持部１６ａ，１８ａの開放端が互いに向き合うように、すなわち、狭持部１６ａ，１８ａによってシャフト部４の外径と略同径の円形空間が形成されるように組み合わされており、摘み部１６ｂ，１８ｂ間に設けられたばね部材１９により、摘み部１６ｂ，１８ｂが互いに離間する方向に付勢され、これにより、狭持部１６ａ，１８ａが互いに接近する方向に付勢されるよう構成されている。このように、取付部１４は、外力が加えられていない状態においては、図２（ａ）に示すように、ばね部材１９によって狭持部１６ａ，１８ａが互いに接近する方向に付勢されることにより、パター１のシャフト部４に強固に固定され、摘み部１６ｂ，１８ｂを互いに接近させるような外力が加えられた場合に、図２（ｂ）に示すように、狭持部１６ａ，１８ａが互いに離間する方向に移動し、パター１のシャフト部４に対する固定が解除されるよう構成されている。
【００１９】
連結部１３は、一端部にボール状連結部１３ｃが設けられた棒体からなる棒状部１３ａと、ボール状連結部１３ｃが密に嵌入可能な内径を有する筒体からなる筒状連結部１３ｂとを備えている。棒状部１３ａは、ボール状連結部１３ｃが設けられた側の端部とは逆端部側の棒状部位が、光源部１２のハウジング１２ｂの長手方向に沿って（すなわち、理想のゴルフボールの打ち出し水平方向Ａと直交する水平方向に沿って）、ハウジング１２ｂの挿入孔内を移動可能に構成されており、ビス等の締結手段１３ｄによって、ハウジング１２ｂの挿入孔内の任意の位置で固定されるよう構成されている。筒状連結部１３ｂは、取付部１４の摘み部１８ｂの開放端側（すなわち、狭持部１８ａが設けられた側の端部とは逆端部側）に設けられており、棒状部１３ａのボール状連結部１３ｃと密に嵌合することにより、光源部１２と取付部１４とを連結するよう構成されている。このように、本実施形態に係る連結部１３は、ボール状連結部１３ｃ及び筒状連結部１３ｂにより連結するものであるため、理想のゴルフボールの打ち出し水平方向Ａ（パター１のヘッド部２のフェイス面２ａが向き、かつ、地面と平行な方向Ｘ）にレーザー光Ｌ１が照射されるように、光源部１２の向き及び角度等を自由に変更（調整）することが可能である。また、本実施形態に係る連結部１３は、棒状部１３ａが、光源部１２のハウジング１２ｂの長手方向に沿って、ハウジング１２ｂの挿入孔内を移動可能に構成されていることにより、パター１のシャフト部４の形状やヘッド部２に対する接続位置等に応じて、ヘッド部２のスイートスポット（芯）の上方から発光するよう（発光部１２から発光される光の照射方向が理想のゴルフボールの打ち出し水平方向Ａと一致するよう）、パター１のヘッド部２に対する光源部１２の位置（理想のゴルフボールの打ち出し水平方向Ａと直交する水平方向における位置）を自由に変更（調整）することが可能である。
【００２０】
的部２０は、図１（ａ）及び図１（ｂ）に示すように、発光部１０から照射されたレーザー光Ｌ１を受光し、レーザー光Ｌ１を映し出すことが可能な受光面２２を有する受光部２１と、受光部２１を支持する支持部２４とを備えている。的部２０は、例えば直径数ｃｍ〜十数ｃｍ程度の容易に持ち運ぶことができる小型の部材であることが好ましい。
【００２１】
受光部２１は、例えば円盤状に形成された板材であり、一方の面が、受光面２２として機能するよう構成されている。受光面２２は、発光部１０から照射されたレーザー光Ｌ１を映し出すこと、すなわち、視認可能な程度に反射させることが可能な面であれば良く、例えば白色面からなる。
【００２２】
支持部２４は、発光部１０が装備されたパター１がアドレス状態の際（すなわち、発光部１０が装備されたパター１を握ったプレイヤーがアドレスした際）に、発光部１０から照射されるレーザー光Ｌ１が受光面２２の中心に映し出される（照射される）ような高さ、すなわち、アドレス時における地面に対する発光部１０の高さ方向の位置と受光面２２の中心の高さ方向の位置とが整合するような高さで、受光部２１を支持するよう構成されている。この支持部２４は、例えば高さ方向に伸縮可能な構成とすることにより、受光部２１の高さ方向の位置を変更可能に構成されても良い。
【００２３】
的部２０のパター１に対する離間距離及び受光部２１の大きさは、プレイヤーの熟練度（技術レベル）に応じて適宜設定することができる。すなわち、プレイヤーの熟練度が高い場合には、的部２０のパター１に対する離間距離を長くしたり、受光部２１の大きさを小さくしたりし、また、プレイヤーの熟練度が低い場合には、的部２０のパター１に対する離間距離を短くしたり、受光部２１の大きさを大きくしたりすることにより、プレイヤーの熟練度に応じたゴルフ練習器具とすることができる。
【００２４】
鏡部３０は、図３に示すように、光を反射可能な鏡面３２を有する鏡面部３１と、鏡面部３１をパター１のヘッド部２近傍のシャフト部４に取り付ける取付部３４と、鏡面部３１と取付部３４とを連結する連結部３３とを備えている。鏡部３０は、ヘッド部２より小さく、例えば直径数ｃｍ程度の容易に持ち運ぶことができる小型の部材であることが好ましい。
【００２５】
鏡面部３１は、一方の平面に鏡面３２が設けられた鏡部材であり、その枠体に、理想のゴルフボールの打ち出し水平方向Ａと直交する水平方向に沿って、連結部３３の後述する棒状部３３ａが挿脱可能な挿入孔が形成されている。本実施形態において、鏡面３２は、反射面が平面をなす鏡（すなわち、平面鏡）であるとしても良いし、反射面が凸である球面鏡（すなわち、凸面鏡）であるとしても良い。
【００２６】
取付部３４は、発光部１０の取付部１４と同様に、一対の狭持片３６，３８によってパター１のシャフト部４を密に狭持することが可能なクリップ状に構成されている。取付部３４の一方の狭持片３６は、パター１のシャフト部４の周面に沿う内面を有するＵ字状の狭持部３６ａと、狭持部３６ａからシャフト部４の軸方向と直交する方向に延びる摘み部３６ｂとを有している。取付部３４の他方の狭持片３８は、パター１のシャフト部４の周面に沿う内面を有するＵ字状の狭持部３８ａと、一方の狭持片３６の摘み部３６ｂと所定の間隔が形成されるように狭持部３８ａから延びる摘み部３８ｂとを有している。
【００２７】
これら一対の狭持片３６，３８は、Ｕ字状の狭持部３６ａ，３８ａの開放端が互いに向き合うように、すなわち、狭持部３６ａ，３８ａによってシャフト部４の外径と略同径の円形空間が形成されるように組み合わされており、摘み部３６ｂ，３８ｂ間に設けられたばね部材３９により、摘み部３６ｂ，３８ｂが互いに離間する方向に付勢され、これにより、狭持部３６ａ，３８ａが互いに接近する方向に付勢されるよう構成されている。このように、取付部３４は、発光部１０の取付部１４と同様に、外力が加えられていない状態においては、ばね部材３９によって狭持部３６ａ，３８ａが互いに接近する方向に付勢されることにより、パター１のシャフト部４に強固に固定され、摘み部３６ｂ，３８ｂを互いに接近させるような外力が加えられた場合に、狭持部３６ａ，３８ａが互いに離間する方向に移動し、パター１のシャフト部４に対する固定が解除されるよう構成されている。
【００２８】
連結部３３は、発光部１０の連結部１３と同様に、一端部にボール状連結部３３ｃが設けられた棒体からなる棒状部３３ａと、ボール状連結部３３ｃが密に嵌入可能な内径を有する筒体からなる筒状連結部３３ｂとを備えている。棒状部３３ａは、ボール状連結部３３ｃが設けられた側の端部とは逆端部側の棒状部位が、理想のゴルフボールの打ち出し水平方向Ａと直交する水平方向に沿って、鏡面部３１の枠体に形成された挿入孔内を移動可能に構成されており、ビス等の締結手段３３ｄによって、鏡面部３１の枠体に形成された挿入孔内の任意の位置で固定されるよう構成されている。筒状連結部３３ｂは、取付部３４の摘み部３８ｂの開放端側（すなわち、狭持部３８ａが設けられた側の端部とは逆端部側）に設けられており、棒状部３３ａのボール状連結部３３ｃと密に嵌合することにより、鏡面部３１と取付部３４とを連結するよう構成されている。このように、本実施形態に係る連結部３３は、ボール状連結部３３ｃ及び筒状連結部３３ｂにより連結するものであるため、発光部１０が装備されたパター１がアドレス状態の際（すなわち、発光部１０が装備されたパター１を握ったプレイヤーがアドレスした際）に、鏡面３２を介して的部２０の受光面２２が視認可能となる角度となるように、鏡面部３１（鏡面３２）の向き及び角度等を自由に変更（調整）することが可能である。また、本実施形態に係る連結部３３は、棒状部３３ａが、鏡面部３１の枠体に形成された挿入孔内を移動可能に構成されていることにより、パター１のシャフト部４の形状やヘッド部２に対する位置等に応じて、パター１のヘッド部２に対する鏡面部３１（鏡面３２）の位置（理想のゴルフボールの打ち出し水平方向Ａと直交する水平方向における鏡面部３１（鏡面３２）の位置）を自由に変更（調整）することが可能である。
【００２９】
次に、本実施形態に係るゴルフ練習器具の使用方法について、図１（ａ）、図１（ｂ）及び図４を用いて説明する。
【００３０】
まず、図１（ａ）及び図１（ｂ）に示すように、発光部１０及び鏡部３０がパター１のシャフト部４に取り付けられ、的部２０が理想のゴルフボールの打ち出し方向Ａに沿ってパター１に対して離間して設置される。具体的には、発光部１０が、パター１のヘッド部２のやや上方において、理想のゴルフボールの打ち出し方向Ａ（パター１のヘッド部２のフェイス面２ａが向き、かつ、地面と平行な方向Ｘ）にレーザー光Ｌ１が照射されるように、パター１のシャフト部４に取り付けられる。また、鏡部３０が、発光部１０のやや上方において、パター１のヘッド部２がアドレス状態の際に、鏡面３２を介して的部２０の受光面２２が視認可能となるように、パター１のシャフト部４に取り付けられる。さらに、的部２０が、パター１のヘッド部２がアドレス状態の際に、受光面２２の略中心位置に発光部１０のレーザー光Ｌ１が映し出されるように受光面２２がパター１のフェイス面２ａと正対し、かつ、理想のゴルフボールの打ち出し方向Ａ（すなわち、アドレス時におけるパター１のヘッド部２のフェイス面２ａが向き、かつ、地面と平行な方向Ｘ）に沿ってパター１に対して離間するように、地面上に設置される。
【００３１】
この状態において、パター１のスイング動作を行い、素振り又はゴルフボールを打撃する。そして、ゴルフボールの打撃位置にパター１のヘッド２が到達した際（すなわち、インパクト時）に、図１（ａ）、図１（ｂ）及び図４（ａ）に示すように、パター１のフェイス面２ａが理想のゴルフボールの打ち出し方向Ａに正確に向いている場合（すなわち、希望するボールの打ち出し方向Ａと、パター１のヘッド部２のフェイス面２ａが向き、かつ、地面と平行な方向Ｘとが略一致している場合）には、的部２０の受光面２２に映し出されたレーザー光Ｌ１（すなわち、的部２０の受光面２２により反射された反射光Ｌ２）を、鏡部３０の鏡面３２を介してプレイヤーがヘッド部２の上方から視認することができる。一方、ゴルフボールの打撃位置にパター１のヘッド２が到達した際（すなわち、インパクト時）に、図４（ｂ）に示すように、パター１のフェイス面２ａが理想のボールの打ち出し方向Ａに向いていない場合（すなわち、理想のボールの打ち出し方向Ａと、パター１のヘッド部２のフェイス面２ａが向き、かつ、地面と平行な方向Ｘとが大きくずれている場合）には、的部２０の受光面２２上にレーザー光Ｌ１が映し出されないため、視認することができない。このように、本実施形態に係るゴルフ練習器具によれば、インパクト時に、鏡面３２を介して受光面２２に映し出されたレーザー光Ｌ１（反射光Ｌ２）を視認できるよう繰り返し練習することにより、パター１のフェイス面２ａが理想のゴルフボールの打ち出し方向Ａに正確に向くようスイング矯正（ストローク矯正）を行うことができる。
【００３２】
以上述べたとおり、本実施形態に係るゴルフ練習器具は、ゴルフクラブ（例えば、パター１）のヘッド部２又はその近傍（例えば、シャフト部４やネック部）に装備可能に構成され、ゴルフクラブ１のヘッド部２又はその近傍４に装備された際に、ゴルフボールの打ち出し水平方向Ａに向けて発光可能な発光部１０と、発光部１０が装備されたゴルフクラブ１を握ったプレイヤーがアドレスした際（発光部１０が装備されたゴルフクラブ１がアドレス状態の際）に、発光部１０から発光された光Ｌ１が照射されるよう、ゴルフボールの打ち出し水平方向Ａに沿ってゴルフクラブ１に対して離間して設置される的部２０と、ゴルフクラブ１のヘッド部２又はその近傍４に装備可能に構成され、発光部１０が装備されたゴルフクラブ１を握ったプレイヤーがアドレスした際（発光部１０が装備されたゴルフクラブ１がアドレス状態の際）に、該プレイヤーが的部２０に照射された発光部１０の光Ｌ１（反射光Ｌ２）を上方から視認可能なように反射させる鏡部３０とを備えている。そして、このような構成を備えることにより、本実施形態に係るゴルフ練習器具によれば、インパクト時に、鏡部３０を介して的部２０に照射された（映し出された）光Ｌ１（反射光Ｌ２）を視認できるよう繰り返し練習することにより、ゴルフクラブ１のフェイス面２ａが理想のゴルフボールの打ち出し方向Ａに正確に向くようスイング矯正（ストローク矯正）を行うことができる。また、本実施形態に係るゴルフ練習器具は、ゴルフクラブ１に設けられた鏡部３０を介して的部２０を視認するよう構成されているため、ヘッドアップを効果的に防止することができる。
【００３３】
また、特許文献１に記載のパッティング練習装置１００は、インパクト時だけでなく、パターのスイング動作の略全体に亘ってスクリーン１０４に反射光Ｌ２が映し出されることとなるため、インパクト時にパターのフェイス面が適正な方向に向いているのか否かを判断することができないものである。これに対し、本実施形態に係るゴルフ練習器具は、ゴルフクラブ（パター１）に設けられた鏡部３０を介して的部２０に映し出された光Ｌ１（反射光Ｌ２）を視認するもの、すなわち、基本的には、インパクト時及びその直前直後以外は鏡部３０を介して的部２０を視認することができず、インパクト時及びその直前直後にのみ鏡部３０を介して的部２０を視認することができるものであるため、ゴルフクラブ（パター１）のフェイス面２ａがインパクト時に適正な方向に向いているのか否かを容易に確認することができる。
【００３４】
さらに、特許文献１に記載のパッティング練習装置１００は、レーザー照射器１０２及びスクリーン１０４を要する非常に大型の装置であるため、容易に持ち運ぶことが出来ず、また、例えばゴルフ場の練習グリーン上では使用することができないものである。これに対し、本実施形態に係るゴルフ練習器具は、ゴルフクラブ（パター１）に設けられた発光部１０から照射した光Ｌ１を的部２０に映し出し、これをゴルフクラブ（パター１）に設けられた鏡部３０により視認するという極めて簡素な構造とすることにより、容易に持ち運びできる程度に小型化することができ、例えばゴルフ場の練習グリーン上でも使用することが可能である。
【００３５】
また、本実施形態に係るゴルフ練習器具は、発光部１０が、レーザー光Ｌ１を照射可能に構成されていることにより、的部２０の受光面２２上に映し出される光Ｌ１（すなわち、的部２０の受光面２２により反射された反射光Ｌ２）の視認性を向上させることができる。
【００３６】
さらに、本実施形態に係るゴルフ練習器具は、鏡部３０が、鏡面３２の取り付け角度を調整可能に構成されていることにより、プレイヤーの体型やフォーム等に柔軟に対応することが可能である。
【００３７】
またさらに、本実施形態に係るゴルフ練習器具において、鏡面３２が平面鏡である場合には、ゴルフボールの真上にプレイヤーの目が位置するようにアドレス姿勢をとる必要があることから、ゴルフボールの真上に構えるという基本の姿勢にアドレス姿勢を補正することが可能となる。一方、本実施形態に係るゴルフ練習器具において、鏡面３２が凸面鏡である場合には、ゴルフボールの真上にプレイヤーの目が位置するようにアドレス姿勢をとる必要がないことから、ゴルフボールの真上に構えるという基本の姿勢以外の姿勢で用いることが可能となる。
【００３８】
本発明に係るゴルフ練習器具は、上述した実施形態に限定されるものではなく、本発明の技術思想を逸脱しない範囲内において種々の改変を行なうことができる。
【００３９】
例えば、上述した実施形態では、発光部１０は、光源部１２と取付部１４とを備えるものであるとして説明したが、これに限定されず、発光部は、ゴルフクラブのヘッド部又はその近傍に装備可能に構成され、ゴルフクラブのヘッド部又はその近傍に装備された際に、ゴルフボールの打ち出し水平方向に向けて発光可能なものであれば、いかなるものであっても良い。特に、発光部１０が照射する光がレーザー光であるとして説明したが、これに限定されず、発光部１０は、レーザー光以外の光を照射するものであっても良い。また、取付部１４は、ゴルフクラブ（パター１）のシャフト部４に対して着脱自在に取り付け可能なクリップ状に構成されるとしたが、これに限定されず、種々の構成を採用することができ、また、ゴルフクラブ（パター１）のシャフト部４に着脱不能に固定されるものであっても良い。さらに、発光部１０は、筒状連結部１３ｂ及びボール状連結部１３ｃにより、光源部１２の向き及び角度等を自由に変更（調整）することが可能であるとして説明したが、これに限定されず、筒状連結部１３ｂ及びボール状連結部１３ｃ以外のジョイント機構により光源部１２の向き及び角度等を自由に変更（調整）することが可能であるとしても良く、また、光源部１２の向き及び角度等が調整不能な構成としても良い。さらに、発光部１０は、ゴルフクラブのヘッド部のスイートスポットの上方から発光するよう、ゴルフクラブのヘッド部に対する位置を調整可能に構成されるものとして説明したが、これに限定されず、ゴルフクラブのヘッド部に対する位置が調整不能な構成としても良い。
【００４０】
また、上述した実施形態では、鏡部３０は、鏡面部３１と取付部３４とを備えるものであるとして説明したが、これに限定されず、鏡部は、ゴルフクラブのヘッド部又はその近傍に装備可能に構成され、発光部が装備されたゴルフクラブを握ったプレイヤーがアドレスした際に、該プレイヤーが的部に照射された発光部の光を視認可能なように反射させるものであれば、いかなるものであっても良い。特に、取付部３４は、ゴルフクラブ（パター１）のシャフト部４に対して着脱自在に取り付け可能なクリップ状に構成されるとしたが、これに限定されず、種々の構成を採用することができ、また、ゴルフクラブ（パター１）のシャフト部４に着脱不能に固定されるものであっても良い。さらに、鏡部３０は、筒状連結部３３ｂ及びボール状連結部３３ｃにより、鏡面部３１（鏡面３２）の向き及び角度等を自由に変更（調整）することが可能であるとして説明したが、これに限定されず、筒状連結部３３ｂ及びボール状連結部３３ｃ以外のジョイント機構により鏡面部３１（鏡面３２）の向き及び角度等を自由に変更（調整）することが可能であるとしても良く、また、鏡面部３１（鏡面３２）の向き及び角度等が調整不能な構成としても良い。さらに、鏡部３０は、ゴルフクラブのヘッド部に対する鏡面部３１（鏡面３２）の位置を調整可能に構成されるものとして説明したが、これに限定されず、ゴルフクラブのヘッド部に対する位置が調整不能な構成としても良い。
【００４１】
さらに、上述した実施形態では、発光部１０及び鏡部３０がゴルフクラブ（パター１）のヘッド部２近傍のシャフト部４に後付けされる別部材であるものとして説明したが、これに限定されず、ゴルフクラブのヘッド部に後付けされる構成としても良いし、発光部及び鏡部が予めゴルフクラブのヘッド部又はシャフト部に一体的に接合若しくは埋設された状態で設けられる構成としても良い。また、発光部及び鏡部は、一体的に形成され、共通の取り付け部を有する構成としても良い。
【符号の説明】
【００４２】
１  パター、２  ヘッド部、２ａ  フェイス面、４  シャフト部、１０  発光部、１２  光源部、１２ａ  光源、１２ｂ  ハウジング、１３  連結部、１４  取付部、１６，１８  狭持片、１６ａ，１８ａ  狭持部、１６ｂ，１８ｂ  摘み部、１９  ばね部材、２０  的部、２１  受光部、２２  受光面、２４  支持部、３０  鏡部、３１  鏡面部、３２  鏡面、３３  連結部、３４  取付部、３６，３８  狭持片、３６ａ，３８ａ  狭持部、３６ｂ，３８ｂ  摘み部、３９  ばね部材、Ａ  理想のゴルフボールの打ち出し水平方向、Ｌ１  レーザー光、Ｌ２  反射光、Ｘ  フェイス面が向く水平方向
【図１】
2016030152.tif 000003
【図２】
2016030152.tif 000004
【図３】
2016030152.tif 000005
【図４】
2016030152.tif 000006
【図５】
2016030152.tif 000007